【手続補正書】
【提出日】平成15年9月16日(2003.9.16)
【手続補正１】
【補正対象書類名】明細書
【補正対象項目名】０００２
【補正方法】変更
【補正の内容】
【０００２】
【従来の技術】
例えば、特開平11-070947、特開平11-227801、特開平11-310248、特開平11-310276、特開平11-349013の自立型包装袋は、いわゆるドイパック（登録商標）形態の包装袋であり、前面部の両側縁と後面部の両側縁とが合掌状にサイドヒートシールを施され、立体的開袋状態にすると二つ折りのボトムガセットが平面状に展開して船底形の底面部となり、前面部と底面部の稜及び後面部と底面部の稜に前記ヒダを備えていて底面部を隠す形態である。しかし、ドイパック形態の包装袋は、両側にサイドシールがあり側面部が無い船底形の独特の形態をしており、角底を有する包装袋とは明確な形態上の相違がある。
なお、特開平06-286758、特開2000-153852、特開2000-272634の自立型包装袋も、底部がドイパック形態と同一の包装袋である。


【手続補正２】
【補正対象書類名】明細書
【補正対象項目名】００１９
【補正方法】変更
【補正の内容】
【００１９】
自立性包装袋を製作するための包材Ｆは例えば以下のような積層フィルムからなる。
(1) OPP 20μm／接着剤／LLDPE 20μm ・・・・（外層／内層：シーラント）
(2) OPP 20μm／接着剤／一軸延伸または二軸延伸HDPE／接着剤／LLDPE・・・・（外層／中間層／内層：シーラント）
(3) OPP 20μm／接着剤／アルミニウム箔／接着剤／LLDPE 20μm・・・・（外層／中間層／内層：シーラント）
(4) OPP（シリカ又はアルミナ蒸着層）／接着剤／一軸延伸または二軸延伸HDPE／接着剤／LLDPE 20μm・・・・（外層／中間層／内層：シーラント）
(5)PET20μm／接着剤／アルミニウム箔／接着剤／OPP20μm／接着剤／LLDPE 20μm・・・・（外層／中間層／中間層／中間層／内層：シーラント）
(6) 紙／接着剤／LLDPE 50μm・・・・（外層／内層：シーラント）
(7) PET 12μm／接着剤／LLDPE 20μm ・・・・（外層／内層：シーラント）
(8) AL 19μm／接着剤／LLDPE 70μm・・・・（外層／内層：シーラント）
(9) PET・SiOx 12μm／接着剤／LLDPE 100μm ・・・・（外層／内層：シーラント）
(10) CPP 5μm・OPP 30μm共押出し／接着剤／CPP 20μm ・・・・（外層／内層；内外面シーラント）


【手続補正３】
【補正対象書類名】明細書
【補正対象項目名】００２９
【補正方法】変更
【補正の内容】
【００２９】
次に、本願発明の第三の実施の形態にかかる自立性包装袋及び包装体を図４を参照して説明する。
この実施の形態は、請求項３に記載の自立性包装袋及び請求項７に記載の包装体に含まれる。
図４(a)は自立性包装袋の斜視図を示す。図４(b)は図４(a)におけるb−b断面図を示す。図４(c)は自立性包装袋を立体に開いたときの斜視図を示す。
この実施の形態の自立性包装袋は扁平袋として製袋され、包装時に立体的に開かれる。
この自立性包装袋は、図１(e)に示すように、図示しない角筒マンドレルにヒダ９を形成した包材Ｆを一巻きし、前面部１と右側面部２と左側面部３と右側面部２より延在する後面部４aと左側面部３より延在する後面部４bを有する角筒状に折り曲げ、包材Ｆの両端縁を隙間なく突き合わせて、その内側に両面シーラントフィルムからなる三層の接続テープ５を目張りするように配して角筒マンドレルに外方からヒートシーラーを押し付けて両端縁を接続テープ５に対してヒートシールして角筒状とする。ヒダ９を有する包材Ｆを角筒状に折り曲げて端縁同士を突き合せて接続テープ５を内側に重ねてヒートシールにより閉じ合わせ、次いで、右側面部２と左側面部３を前面部１と後面部４a,４bとの間に挟まれるように内方へ二つ折りして一対のサイドガセットとして備えていて、下端にボトムヒートシール７を施してなり、上端が袋開口となっている。


【手続補正４】
【補正対象書類名】明細書
【補正対象項目名】００３０
【補正方法】変更
【補正の内容】
【００３０】
この自立性包装袋の特徴は、右側面部２と左側面部３を二つ折りしたサイドガセットは扁平状態の該袋の下端に至っており、扁平状態のときの袋底辺よりサイドガセットの折り幅hと略等寸法離れた位置にヒダ９を備えていて、ヒダ９より下側部分が、立体に開袋されたときに両側に三角形に耳ポケット形状になるボトムガセット６を形成して平面的に展開して底面部８となり、ヒダ９が一周にわたり垂下して底面部８を隠すように構成されていることにある。
このヒダ付きサイドガセット付き扁平袋の顕著な特徴は、ヒダ９を備えたことであり、そして、ヒダ９を備えたことにより新規な三方ガセットを有する袋となっている点である。
従来において、ガセットと言うのは内方へ二つ折りにする折り合わせをいう。例えば、特開昭５９−７４０６５号は従来の三方ガセットを有する扁平袋を示す。この扁平袋は、サイドガセットを有する連続する扁平筒を形成してから、ボトムヒートシールを施すと共にその際をカットし、次いで袋底部を立体的に開いて内方に二つ折りに折り畳んでボトムガセットを形成する。このため、ボトムガセットがサイドガセットと干渉する部分の多重に折り重なり、袋を積層したときに底部側が顕著に嵩ばり水平に積層できなくなる不具合がある。
この実施の形態にかかる自立性包装袋においては、ヒダ９を備えていることにより、ヒダ９より下側部分は、立体に開袋されたときに平面的に展開して底面部８となりうるから、従来の内折りタイプのボトムガセットに対して外折りタイプのボトムガセットと言うことができ、ヒダ９の内側に隠れる優位性があるとともにボトムガセットとサイドガセットの折り込みの重なり部分が多重折込みにならない優位性があり、又、袋を積層したときに底部側が顕著に嵩ばり水平に積層できなくなる不具合はない。


【手続補正５】
【補正対象書類名】明細書
【補正対象項目名】００３６
【補正方法】変更
【補正の内容】
【００３６】
次に、本願発明の第六の実施の形態にかかる自立性包装袋を図７を参照して説明する。
この実施の形態は、請求項４，５に記載の自立性包装袋及び請求項７に記載の包装体に含まれる。
図７(a)は自立性包装袋の斜視図を示し、図７(ｃ)は自立性包装袋を立体に開いたときの斜視図を示し、図７(b)は図７(a)におけるｂ−ｂ断面図を示す。
この自立性包装袋も図４(a)に示す自立性包装袋と同様に扁平袋として製袋される。
この自立性包装袋は、上部にもヒダ１５が設けられている点が図４(a)に示す自立性包装袋と相違している。
図７(d)はこの自立性包装袋を製袋するためのヒダ付きの包材の斜視図である。特徴的な構成は、ヒダ９とヒダ１５を有していることである。ヒダ９とヒダ１５は互いに逆の方向に倒されている。図７(e)はこの自立性包装袋を製袋するための一対のサイドガセットを折り込み形成した扁平筒の斜視図である。
この自立性包装袋を製袋するには、図７(d)に示すヒダ９とヒダ１５を有する包材Ｆを用いて図１(e)に示すように角筒にしてから両側面に一対のサイドガセットの折り込みを入れつつ扁平にしていき、図７(e)に示す扁平筒としてから、図７(a)に示すようにボトムヒートシール７を施して扁平袋とする。
包装する際は、図７(c)に示すように立体的に開いて被包装品（図示しない）を充填し、ヒダ１５より上側部分を、図１(g)に示すように、トップガセットが入った寄せ棟型の上面部１２を形成する。ヒダ１５は、周面の延長上端を形成して上面部１２と周面とを明確にタイトな折り込みの感じを与えることが出来る。
この自立性包装袋の変形例として、図６に示す自立性包装袋のようにリブ１４a，１４b，１４c，１４dを設けても良く、又、ヒダ９より下側部分の両隅を略４５度にヒートシールしかつ三角形のコーナー片を切除して、図６(b)に示す自立性包装袋の底面部と同一形態としても良い。ヒダ１５をヒダ９と同方向に倒しても良い。


【手続補正６】
【補正対象書類名】明細書
【補正対象項目名】００４２
【補正方法】変更
【補正の内容】
【００４２】
次に、本願発明の第十二の実施の形態にかかる自立性包装袋を図１３を参照して説明する。
この実施の形態は、請求項３に記載の自立性包装袋及び請求項７に記載の包装体に含まれる。
図１３(a)は自立性包装袋の斜視図である。図１３(b)は自立性包装袋を立体に開いた状態を示す斜視図である。図１３(c)は自立性包装袋を構成する各ウエブの分解・配置状態を示す斜視図である。図１３(d)は自立性包装袋を立体に開いて被包装品を充填して開口を閉じて包装体とした状態を示す斜視図である。
この実施の形態の自立性包装袋は扁平袋として製袋され、包装時に三角柱形状に開かれる。
この自立性包装袋は、一枚の包材を折り曲げて製袋するのではなく、ヒダ９a,１５a,１６aを形成した前面部１と、ヒダ９b,１５b,１６bを形成した後面部４と、ガセット折りされた側面部２aとに分離されている三枚の包材を図１３(c)に示すように配置して重ねて、図１３(a)に示すように、合掌状のサイドシールを施してリブ１４a，１４b，１４cを形成したサイドガセット入りの扁平筒としさらにボトムヒートシール７を施すことで、製袋される。
この自立性包装袋と図１２に示す自立性包装袋との相違は、ガセット折りされた側面部が片側のみに有するか、又は左右一対に有するかの相違であるが、立体的に開いたときはこの自立性包装袋にあっては、三角柱形状になり図１３(e)に示すように例えば包装体を六個集めて六角柱状にして展示したり六角柱状に箱詰めできるのに対し、図１２に示す自立性包装袋にあっては四角柱形状になり図２に示すように積み重ねて展示できる相違がある。


【手続補正７】
【補正対象書類名】明細書
【補正対象項目名】００４５
【補正方法】変更
【補正の内容】
【００４５】
本願発明の第十五の実施の形態にかかる自立性包装袋及び包装体を図１６を参照して説明する。
この実施の形態は、請求項８に記載の自立性包装袋及び請求項９に記載の包装体に含まれる。
図１６(a)は自立性包装袋の斜視図である。図１６(b)は自立性包装袋を立体に開いた状態を示す斜視図である。図１６(c)は自立性包装袋に被包装品を入れて開口を閉じ包装体とした斜視図である。図１６(d)はヒダを付けられた包材の斜視図である。図１６(e)は包材の両縁を接続テープで繋いで扁平筒とした状態を示す斜視図である。
この実施の形態の自立性包装袋は、図１６(a)に示すように扁平袋として製袋される。
この自立性包装袋は、図１６(d)に示すヒダ９，１５が付いた包材Ｆを図１６(e)に示すように扁平筒状に折り曲げて幅方向の両縁を後面の幅中央で突き合せ接続テープ５を継ぎ目の内側に重ねてヒートシールして接続して扁平筒を形成し、図１６(a)に示すようにボトムヒートシール７を施して製袋する。
包装するには、この自立性包装袋の上部を開き被包装品を充填してトップヒートシール１１を施して上面部１２を形成する。袋に被包装品を充填すると、ヒダ９より下側部分が前後方向に引っ張られて両端に三角形の耳が出来て平面展開する。ボトムヒートシール７の両端部分を互いに平行となる三角形の耳として内側へ倒すと、図１４(c)に示すように両耳が折り畳まれた底面部８となってヒダ９の内側に隠れる。開口を閉じトップシールを施したヒダ９より上側部分の上面部も、下面部と同様に処理されるヒダ１５の内側に隠れる。
この自立性包装袋と図１４に示す自立性包装袋との相違はヒダ９，１５の有無である。ヒダ１５があると、上面部１２が区画形成される。


【手続補正８】
【補正対象書類名】明細書
【補正対象項目名】００４６
【補正方法】変更
【補正の内容】
【００４６】
本願発明の第十六の実施の形態にかかる包装体を図１７を参照して説明する。
この実施の形態は、請求項９に記載の包装体に含まれる。
図１７(a)はヒダが付いた包材の斜視図である。図１７(b)は包材の両縁を接続テープで繋いで楕円筒とした状態を示す斜視図である。図１７(c)は楕円筒にトップヒートシールを施してなる自立性包装袋の斜視図である。図１７(d)は自立性包装袋に被包装品を入れて開口を閉じ包装体とした斜視図である。
この実施の形態の自立性包装袋は、図１７(b)に示すように長円筒状ないし楕円筒状に立体に開いた袋として製袋される。
この自立性包装袋は、図１７(a)に示すヒダ９が付いた包材Ｆを図１７(b)に示すように図示しない楕円筒状のマンドレルに一巻きするようにしてループ状に折り曲げて幅方向の両縁を突き合せ接続テープ５を継ぎ目の内側に重ねてヒートシールして接続し楕円筒を形成し図１７(c)に示すようにトップヒートシール１１を施して製袋する。
包装するには、この自立性包装袋を天地逆にして上に来る底部を開き被包装品を充填して、ヒダ９より下側部分を扁平に閉じてボトムヒートシール７を施して底面部８を形成し、ボトムヒートシール７の両端部分の余剰部を互いに平行となる三角形の耳として内側へ倒すと、図１７(d)に示すように両耳が折り畳まれた底面部８となってヒダ９の内側に隠れる。


【手続補正９】
【補正対象書類名】明細書
【補正対象項目名】図面の簡単な説明
【補正方法】変更
【補正の内容】
【図面の簡単な説明】
【図１】本願発明の第一の実施の形態にかかる自立性包装袋を示す。図１(a)は自立性包装袋の後面上方から見た斜視図である。図１(b)は自立性包装袋を上下逆に転倒させて後面上方から見た斜視図である。図１(c)は自立性包装袋を製作するための包材の外面側の斜視図である。図１(d)は包材の側面図である。図１(e)は包材を角筒にした状態を示す斜視図である。図１(f)は自立性包装袋の左右の側面部中央を通る縦断面図である。図１(g)は自立性包装袋の包装形態を示す斜視図である。
【図２】本願発明の第一の実施の形態にかかる自立性包装袋を複数個積み重ねて陳列する状態を示す斜視図である。
【図３】本願発明の第二の実施の形態にかかる自立性包装袋を示す。図３(a)は自立性包装袋の後面上方から見た斜視図である。図３(b)は自立性包装袋の包装形態を示す斜視図である。
【図４】本願発明の第三の実施の形態にかかる自立性包装袋を示す。図４(a)は自立性包装袋の斜視図を示す。図４(b)は図４(a)におけるb−b断面図を示す。図４(c)は自立性包装袋を立体に開いたときの斜視図を示す。図４(d)はこの自立性包装袋を製袋するためのヒダ付きの包材の内面側より見た斜視図である。図４(e)はこの自立性包装袋を製袋するための一対のサイドガセットを折り込み形成した扁平筒の斜視図である。
【図５】本願発明の第四の実施の形態にかかる自立性包装袋を示す。図５(a)は自立性包装袋の斜視図を示し、図５(b)は自立性包装袋を立体に開いたときの斜視図を示す。図５(c)は図５(a)におけるc−c断面図を示す。図５(d)はこの自立性包装袋を製袋するためのヒダ付きの包材の斜視図である。図５(e)はこの自立性包装袋を製袋するための一対のサイドガセットを折り込み形成した扁平筒の斜視図である。
【図６】本願発明の第五の実施の形態にかかる自立性包装袋を示す。図６(a)は自立性包装袋の斜視図を示し、図６(b)は自立性包装袋を立体に開いたときの斜視図を示す。図６(c)は立体的に開いた自立性包装袋の水平断面図である。
【図７】本願発明の第六の実施の形態にかかる自立性包装袋を示す。図７(a)は自立性包装袋の斜視図を示し、図７(c)は自立性包装袋を立体に開いたときの斜視図を示し、図７(b)は図７(a)におけるb−b断面図を示す。図７(d)はこの自立性包装袋を製袋するためのヒダ付きの包材の斜視図である。図７(e)はこの自立性包装袋を製袋するための一対のサイドガセットを折り込み形成した扁平筒の斜視図である。
【図８】本願発明の第七の実施の形態にかかる自立性包装袋を示す。図８(a)は自立性包装袋の斜視図を示す。図８(b)は自立性包装袋を立体に開いたときの斜視図を示す。図８(c)は図８(a)におけるC−C断面図を示す。図８(d)はこの自立性包装袋を製袋するためのヒダ付きの包材の斜視図である。図８(e)はこの自立性包装袋を製袋するための一対のサイドガセットを折り込み形成しリブを付けた扁平筒の斜視図である。
【図９】本願発明の第八の実施の形態にかかる自立性包装袋を示す。図９(a)は自立性包装袋の斜視図を示し、図９(b)は自立性包装袋を立体に開いたときの斜視図を示す。図９(c)はこの自立性包装袋を製袋するためのヒダ付きの包材の斜視図である。図９(d)はこの自立性包装袋を製袋するための一対のサイドガセットを折り込み形成した扁平筒の斜視図である。
【図１０】本願発明の第九の実施の形態にかかる自立性包装袋を示す。図１０(a)は自立性包装袋の斜視図を示し、図１０(b)は自立性包装袋を立体に開いたときの斜視図を示す。図１０(c)は立体的に開いた自立性包装袋の水平断面図（図１０(b)におけるC−C断面図）である。図１０(d)は自立性包装袋を構成する各ウエブの分解・配置状態を示す斜視図である。図１０(e)はサイドガセット入りの扁平筒を示す斜視図である。
【図１１】本願発明の第十の実施の形態にかかる自立性包装袋を示す。図１１(a)は自立性包装袋の斜視図を示し、図１１(b)は自立性包装袋を立体に開いたときの斜視図を示す。図１１(c)は立体的に開いた自立性包装袋の水平断面図である。図１１(d)は自立性包装袋を構成する各ウエブの分解・配置状態を示す斜視図である。図１１(e)はサイドガセット入りの扁平筒を示す斜視図である。
【図１２】本願発明の第十一の実施の形態にかかる自立性包装袋を示す。図１２(a)は自立性包装袋の斜視図を示し、図１２(b)は自立性包装袋を立体に開いたときの斜視図を示す。図１２(c)は立体的に開いた自立性包装袋の水平断面図である。図１２(d)は自立性包装袋を構成する各ウエブの分解・配置状態を示す斜視図である。図１２(e)はサイドガセット入りの扁平筒を示す斜視図である。
【図１３】本願発明の第十二の実施の形態にかかる自立性包装袋を示す。図１３(a)は自立性包装袋の斜視図である。図１３(b)は自立性包装袋を立体に開いた状態を示す斜視図である。図１３(c)は自立性包装袋を構成する各ウエブの分解・配置状態を示す斜視図である。図１３(d)は自立性包装袋を立体に開いて被包装品を充填して開口を閉じて包装体とした状態を示す斜視図である。図１３(e)は包装体を六個集めて六角柱状にして展示する状態を示す斜視図である。
【図１４】本願発明の第十三の実施の形態にかかる自立性包装袋を示す。図１４(a)は自立性包装袋の斜視図である。図１４(b)は自立性包装袋を立体に開いた状態を示す斜視図である。図１４(c)は自立性包装袋に被包装品を入れて開口を閉じ包装体とした斜視図である。図１４(d)はヒダを付けられた包材の斜視図である。図１４(e)は、包材の両縁を接続テープで繋いで扁平筒とした状態を示す斜視図である。
【図１５】本願発明の第十四の実施の形態にかかる自立性包装袋を示す。図１５(a)は自立性包装袋の斜視図である。図１５(b)は自立性包装袋を立体に開いた状態を示す斜視図である。図１５(c)は自立性包装袋に被包装品を入れて開口を閉じ包装体とした斜視図である。図１５(d)はヒダが付いた包材の斜視図である。図１５(e)は、包材の両縁を接続テープで繋いで扁平筒とした状態を示す斜視図である。
【図１６】本願発明の第十五の実施の形態にかかる自立性包装袋を示す。図１６(a)は自立性包装袋の斜視図である。図１６(b)は自立性包装袋を立体に開いた状態を示す斜視図である。図１６(c)は自立性包装袋に被包装品を入れて開口を閉じ包装体とした斜視図である。図１６(d)はヒダを付けられた包材の斜視図である。図１６(e)は包材の両縁を接続テープで繋いで扁平筒とした状態を示す斜視図である。
【図１７】本願発明の第十六の実施の形態にかかる自立性包装袋を示す。図１７(a)はヒダが付いた包材の斜視図である。図１７(b)は包材の両縁を接続テープで繋いで楕円筒とした状態を示す斜視図である。図１７(c)は楕円筒にトップヒートシールを施してなる自立性包装袋の斜視図である。図１７(d)は自立性包装袋に被包装品を入れて開口を閉じ包装体とした斜視図である。
【符号の説明】
Ｆ・・・包材、１・・・前面部、２・・・右側面部、３・・・左側面部、４a,４b,４・・・後面部、５・・・接続テープ、６・・・ボトムガセット、７・・・ボトムヒートシール、８・・・底面部、９,９a,９b・・・ヒダ、１０・・・トップガセット、１１・・・トップヒートシール、１２・・・上面部、１３・・・縦ヒートシール、１４a，１４b，１４c，１４d・・・リブ、１５,１５a,１５b・・・ヒダ、１６,１６a,１６b・・・ヒダ、